(57)【要約】【課題】交換機から送信される発信人電話番号と、発信人の発信者名情報とを受信可能な通信装置において、発信人の電話番号情報と上記発信人の発信者名情報とを受信した場合でも、また、発信人の発信者名情報を受信せずに上記発信人の電話番号情報のみを受信した場合でも、発信人の電話番号情報と上記発信人の発信者名情報とがともに表示され、ユーザにとって使いやすい通信装置を提供することを目的とするものである。【解決手段】発信人電話番号と発信者名情報とを、互いに対応させて登録手段に登録し、発信人の発信者名情報を受信せずに発信人の電話番号情報のみを受信した場合、受信した発信人の電話番号情報に基づいて、登録手段から、対応する発信人の発信者名情報を検索し、この検索された発信人の発信者名情報と受信した発信人の電話番号情報とを表示する。【選択図】　図１
2004056619.tif 000002
【特許請求の範囲】
【請求項１】
交換機から送信される発信人電話番号と、発信人の発信者名情報とを受信可能な通信装置において、
上記発信人電話番号と上記発信者名情報とを、互いに対応させて登録する登録手段と；
交換機から、発信人の電話番号情報と、発信人の発信者名情報とを受信する受信手段と；
交換機から、発信人の電話番号情報と上記発信人の発信者名情報とを受信したか、または、発信人の発信者名情報を受信せずに上記発信人の電話番号情報のみを受信したかを判別する判別手段と；
発信人の電話番号情報と上記発信人の発信者名情報とを受信した場合、上記受信した発信人の電話番号情報と上記発信人の発信者名情報とを表示し、一方、発信人の発信者名情報を受信せずに上記発信人の電話番号情報のみを受信した場合、上記受信した発信人の電話番号情報に基づいて、上記登録手段から、対応する発信人の発信者名情報を検索し、この検索された発信人の発信者名情報と上記受信した発信人の電話番号情報とを表示する表示制御手段と；
を有することを特徴とする通信装置。
【請求項２】
請求項１において、
発信人の電話番号情報と発信人の発信者名情報とを、受信した記録情報に追加記録することを特徴とする通信装置。
【請求項３】
請求項２において、
受信した記録情報として、交換機から送信された発信人に関する情報のみ追加記録することを特徴とする通信装置。
【請求項４】
請求項２または請求項３において、
交換機から発信人の電話番号情報が送信され、発信人の発信者名情報が送信されないときに、受信した記録情報として、交換機から送信された発信人の電話番号情報のみ受信した記録情報に追加記録することを特徴とする通信装置。
【発明の詳細な説明】
【０００１】
【発明の属する技術分野】
本発明は、通信装置、特に、交換機から送信された発信人に関する情報を受信可能な通信装置に関する。
【０００２】
【従来の技術】
従来の通信装置のうちで、交換機から送信される発信人電話番号情報を受信可能な通信装置は、たとえば、発信人電話番号情報を受信し、この受信した発信人電話番号情報を表示する。ここで、交換機から送信された発信人の電話番号を受信できないと、この受信できない発信人の電話番号を表示はしない。すなわち、交換機から発信人に関する情報を受信した場合にのみ、受信した発信人に関する情報を表示する。
【０００３】
【発明が解決しようとする課題】
ところで、２００２年に、新しい通信サービスとして、発信人の電話番号情報に加えて、発信人の発信者名情報も、交換機から端末に送信するサービスがスタートする。
【０００４】
この場合、少なくとも、その過渡期において、旧交換機からの発信人電話番号情報に関する情報通知のサービスには加入していたが、新交換機からの発信人電話番号情報に関する情報通知のサービスには加入しないユーザが、相手側の送信端末として存在すると、交換機からの発信人の電話番号情報を受信するが、発信人の発信者名情報を受信しない通信が存在する。
【０００５】
ここで、従来例では、交換機から受信した発信人に関する情報のみ、通信端末に表示するが、宛先毎に、相手送信端末に関する情報の表示が異なり、ユーザには使い難いという問題がある。
【０００６】
本発明は、交換機から送信される発信人電話番号と、発信人の発信者名情報とを受信可能な通信装置において、発信人の電話番号情報と上記発信人の発信者名情報とを受信した場合でも、また、発信人の発信者名情報を受信せずに上記発信人の電話番号情報のみを受信した場合でも、発信人の電話番号情報と上記発信人の発信者名情報とがともに表示され、ユーザにとって使いやすい通信装置を提供することを目的とするものである。
【０００７】
【課題を解決するための手段】
本発明は、交換機から送信される発信人電話番号と、発信人の発信者名情報とを受信可能な通信装置において、上記発信人電話番号と上記発信者名情報とを、互いに対応させて登録する登録手段と、交換機から、発信人の電話番号情報と、発信人の発信者名情報とを受信する受信手段と、交換機から、発信人の電話番号情報と上記発信人の発信者名情報とを受信したか、または、発信人の発信者名情報を受信せずに上記発信人の電話番号情報のみを受信したかを判別する判別手段と、発信人の電話番号情報と上記発信人の発信者名情報とを受信した場合、上記受信した発信人の電話番号情報と上記発信人の発信者名情報とを表示し、一方、発信人の発信者名情報を受信せずに上記発信人の電話番号情報のみを受信した場合、上記受信した発信人の電話番号情報に基づいて、上記登録手段から、対応する発信人の発信者名情報を検索し、この検索された発信人の発信者名情報と上記受信した発信人の電話番号情報とを表示する表示制御手段とを有する通信装置である。
【０００８】
【発明の実施の形態および実施例】
図１は、本発明の一実施例であるファクシミリ装置ＦＳ１を示すブロック図である。
【０００９】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）する。なお、通常状態では、電話回線２ａは電話機４側に接続されている。
【００１０】
ハイブリッド回路６は、送信系の信号と受信系の信号とを分離し、加算回路１２からの送信信号を、ＮＣＵ２経由で電話回線２ａに送出し、相手側からの信号を、ＮＣＵ２経由で受け取り、信号線６ａ経由で変復調器８に送るものである。
【００１１】
つまり、ＮＣＵ２は、交換機から、発信人の電話番号情報と、発信人の発信者名情報とを受信する受信手段の例である。
【００１２】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１３】
発呼回路１０は、バス２６からの信号によって、電話番号情報を入力し、信号線１０ａにＤＴＭＦの選択信号を出力する。
【００１４】
加算回路１２は、信号線８ａの情報と信号線１０ａの情報とを入力し、加算した結果を、信号線１２ａに出力する。
【００１５】
読取回路１４は、読み取りデータをバス２６に出力する。
【００１６】
記録回路１６は、バス２６に出力されている情報を、順次１ライン毎に記録する。
【００１７】
メモリ回路１８は、ワーク用のメモリ（ＲＡＭ）であり、読み取りデータの生情報、または、符号化した情報を格納するメモリであり、また、受信情報、または、復号化した情報等を、バス２６を介して、格納するメモリである。
【００１８】
図２は、交換機から送信された発信人電話番号情報に対応し、発信人名を登録するメモリに格納されている内容例を示す図である。
【００１９】
ここでは、交換機から、発信人電話番号情報は送信されるが、発信人名は送信されない送信相手先に対応し、受信機側で表示する発信人名を登録するものである。たとえば、発信人電話番号情報０３−３１１１−１１１１に対応して発信人名を吉田と登録し、同様に、発信人電話番号情報０３−３１１１−２２２２に対応して発信人名を山口と登録し、発信人電話番号情報０３−３１１１−３３３３に対応して発信人名を山田と登録する。
【００２０】
つまり、メモリ回路１８は、発信人電話番号と発信者名情報とを、互いに対応させて登録する登録手段の例である。
【００２１】
操作部２０は、ワンタッチダイヤル、短縮ダイヤル、テンキー、＊キー、＃キー、スタートキー、ストップキー、セットキー、発信人名登録選択キー、その他のファンクションキーを具備し、押下されたキー情報はバス２６に出力される。
【００２２】
操作部２０には、表示部があり、バス２６に出力されている情報を入力し、表示する。
【００２３】
ＣＰＵ（中央処理装置）２２は、ファクシミリ装置ＦＳ１の全体を制御し、ファクシミリ伝送制御手順を実行するが、その制御プログラムは、ＲＯＭ２４に格納される。
【００２４】
ＲＯＭ２４は、次の制御プログラムを格納している。つまり、交換機から送信される発信人電話番号と、発信人の発信者名情報とを受信可能な通信装置において、交換機から、発信人の電話番号情報と上記発信人の発信者名情報とを受信したか、または、発信人の発信者名情報を受信せずに上記発信人の電話番号情報のみを受信したかを判別する判別手段を実現する制御プログラムと、発信人の電話番号情報と上記発信人の発信者名情報とを受信した場合、上記受信した発信人の電話番号情報と上記発信人の発信者名情報とを表示し、一方、発信人の発信者名情報を受信せずに上記発信人の電話番号情報のみを受信した場合、上記受信した発信人の電話番号情報に基づいて、上記登録手段から、対応する発信人の発信者名情報を検索し、この検索された発信人の発信者名情報と上記受信した発信人の電話番号情報とを表示する表示制御手段を実現する制御プログラムとを、ＲＯＭ２４が格納している。
【００２５】
また、ＲＯＭ２４には、発信人の電話番号情報、発信人の発信者名情報を、受信した記録情報に追加記録する制御プログラムを格納している。この場合、受信した記録情報として、交換機から送信された発信人に関する情報のみを追加記録する。すなわち、交換機から発信人の電話番号情報を受信したが、発信人の発信者名情報を受信しないときに、受信した記録情報として、交換機から送信された発信人の電話番号情報のみを、受信した記録情報に追加記録する。
【００２６】
次に、上記実施例の動作について説明する。
【００２７】
図３、図４、図５、図６、図７は、上記実施例の動作を示すフローチャートである。
【００２８】
Ｓ２では、バス２６を介して、メモリ１８をイニシャライズし、Ｓ４では、バス２６を介して、操作部の表示部をクリアし、Ｓ６では、バス２６を介してＮＣＵ２のＣＭＬをオフする。
【００２９】
Ｓ８では、バス２６を介して、操作部の情報を入力し、発信人電話番号に対応した情報の登録が選択されたか否かを判断し、発信人電話番号に対応した情報の登録が選択されていれば、ステップＳ１０に進み、発信人電話番号に対応した情報の登録が選択されていないと、ステップＳ１２に進む。
【００３０】
Ｓ１０では、バス２６を介して、発信人電話番号に対応し、発信人名を、たとえば、図２に示すように登録する。
【００３１】
Ｓ１２では、情報受信端末起動信号を検出したか否かを判断し、情報受信端末起動信号を検出していれば、ステップＳ１８に進み、情報受信端末起動信号を検出していなければ、ステップＳ１４に進む。
【００３２】
Ｓ１４では、呼出信号を検出したか否かを判断し、呼出信号を検出していれば、ステップＳ６８に進み、呼出信号を検出していなければ、ステップＳ１６に進み、その他の処理を実行する。
【００３３】
Ｓ１８では、１次応答信号を送信し、Ｓ２０では、発信人情報を受信し、Ｓ２２では、受信完了信号を送信する。
【００３４】
Ｓ２４では、発信者名情報を受信したか否かを判断し、発信者名情報を受信していれば、ステップＳ２６に進み、発信者名情報を受信していなければ、ステップＳ４２に進む。
【００３５】
Ｓ２６では、バス２６を介して、操作部の表示部に発信人電話番号と発信者名情報とを表示し、ここで何らかのキー操作によって、上記表示を消去する。
【００３６】
Ｓ２８では、タイマに３０秒をセットする。
【００３７】
Ｓ３０では、呼出信号を検出したか否かを判断し、呼出信号を検出していれば、ステップＳ３４に進み、呼出信号を検出していなければ、ステップＳ３２に進む。
【００３８】
Ｓ３２では、タイマがタイムオーバしたか否かを判断し、タイマがタイムオーバすれば、ステップＳ４に進み、タイマがタイムオーバしていなければ、ステップＳ３０に進む。
【００３９】
Ｓ３４では、バス２６を介して、ＮＣＵ２のＣＭＬをオンし、Ｓ３６では、前手順を実行し、Ｓ３８では、画信号を受信し、記録する。ここで、記録情報の一部に、発信人電話番号と発信人名情報とを付加し、Ｓ４０では、後手順を実行する。
【００４０】
Ｓ４２では、受信した発信人電話番号に対応して発信者名が登録されているか否かを判断し、受信した発信人電話番号に対応して発信者名が登録されていれば、ステップＳ４４に進み、受信した発信人電話番号に対応して発信者名が登録されていなければ、ステップＳ６０に進む。
【００４１】
Ｓ４４では、バス２６を介して、操作部の表示部に、発信人電話番号と受信した発信人電話番号に対応して登録されている発信者名とを表示し、ここで、何らかのキー操作でこの表示を消去し、Ｓ４６では、タイマに３０秒をセットする。
【００４２】
Ｓ４８では、呼出信号を検出したか否かを判断し、呼出信号を検出していれば、ステップＳ５０に進み、呼出信号を検出していなければ、ステップＳ５８に進む。
【００４３】
Ｓ５０では、バス２６を介して、ＮＣＵ２のＣＭＬをオンし、Ｓ５２では、前手順を実行し、Ｓ５４では、画信号を受信し、記録し、ここで、記録情報の一部に、発信人電話番号を付加し、Ｓ５６では、後手順を実行する。
【００４４】
Ｓ５８では、タイマがタイムオーバしたか否かを判断し、タイマがタイムオーバすれば、ステップＳ４に進み、タイマがタイムオーバしていなければ、ステップＳ４８に進む。
【００４５】
Ｓ６０では、バス２６を介して、操作部の表示部に発信人電話番号を表示し、ここで何らかのキー操作によって、上記表示を消去し、Ｓ６２では、タイマに３０秒をセットする。
【００４６】
Ｓ６４では、呼出信号を検出したか否かを判断し、呼出信号を検出すれば、ステップＳ５０に進み、呼出信号を検出しなければ、ステップＳ６６に進む。
【００４７】
Ｓ６６では、タイマがタイムオーバしたか否かを判断し、タイマがタイムオーバすれば、ステップＳ４に進み、タイマがタイムオーバしなければ、ステップＳ６４に進む。
【００４８】
Ｓ６８では、バス２６を介して、ＮＣＵ２のＣＭＬをオンし、Ｓ７０では、前手順を実行し、Ｓ７２では、画信号を受信し、記録し、ここで、受信した情報のみを記録し、Ｓ７４では、後手順を実行する。
【００４９】
図８は、発信人情報に関して、操作部への表示と、受信画像を記録したときにおける追加記録とを示す図である。
【００５０】
図８（１）は、交換機から、発信人電話番号、発信者名の通知がある場合を示す。この場合、操作部に、発信人電話番号、発信者名情報を表示し、また、記録情報に、発信人電話番号、発信者名情報を付加する。
【００５１】
図８（２）は、交換機から、発信人電話番号のみが通知され、発信人電話番号に対応して発信人名が登録されている場合を示す。この場合、操作部に、発信人電話番号と、発信人電話番号に対応して登録されている発信人名を表示し、また、記録情報に、発信人電話番号の情報を付加する。
【００５２】
図８（３）は、交換機から、発信人電話番号のみが通知され、発信人電話番号に対応する発信人名の登録が無い場合を示す。この場合、操作部に、発信人電話番号を表示し、また、記録情報に、発信人電話番号の情報を付加する。
【００５３】
図８（４）は、交換機から、発信人電話番号、発信者名の通知がともに無い場合を示す。この場合、操作部に、発信人電話番号と発信者名情報をともに表示せず、また、記録情報に、発信人電話番号と発信者名情報をともに付加しない。
【００５４】
上記実施例によれば、交換機から送信される発信人電話番号と、発信人の発信者名情報とを受信可能な通信装置において、発信人の電話番号情報と上記発信人の発信者名情報とを受信した場合でも、また、発信人の発信者名情報を受信せずに上記発信人の電話番号情報のみを受信した場合でも、発信人の電話番号情報と上記発信人の発信者名情報とがともに表示されるので、ユーザにとって使いやすい。
【００５５】
【発明の効果】
本発明によれば、交換機から送信される発信人電話番号と、発信人の発信者名情報とを受信可能な通信装置において、発信人の電話番号情報と上記発信人の発信者名情報とを受信した場合でも、また、発信人の発信者名情報を受信せずに上記発信人の電話番号情報のみを受信した場合でも、発信人の電話番号情報と上記発信人の発信者名情報とがともに表示されるので、ユーザにとって使いやすいという効果を奏する。
【図面の簡単な説明】
【図１】本発明の一実施例であるファクシミリ装置ＦＳ１を示すブロック図である。
【図２】交換機から送信された発信人電話番号情報に対応し、発信人名を登録するメモリに格納されている内容例を示す図である。
【図３】上記実施例の動作を示すフローチャートである。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】発信人情報に関して、操作部への表示と、受信画像を記録したときにおける追加記録とを示す図である。
【符号の説明】
ＦＳ１…ファクシミリ装置、
２…ＮＣＵ、
１８…メモリ、
２０…操作部、
２２…ＣＰＵ、
２４…ＲＯＭ。
【図１】
2004056619.tif 000003
【図２】
2004056619.tif 000004
【図３】
2004056619.tif 000005
【図４】
2004056619.tif 000006
【図５】
2004056619.tif 000007
【図６】
2004056619.tif 000008
【図７】
2004056619.tif 000009
【図８】
2004056619.tif 000010